(57)【要約】【課題】錘とアーム部との接触に伴い発生する騒音を抑制した床ブラシを提供する。【解決手段】安全装置36の安全体52のアーム部64に形成した凹部64cの両側に壁部64bを一体形成する。アーム部64の強度を構造的に確保できるので、アーム部64の硬さを相対的に低下させたものとすることが可能となる。錘53とアーム部64のアーム部本体64aの先端部との接触に伴い発生する騒音を抑制できる。【選択図】図１
2010200803.tif 000002
【特許請求の範囲】
【請求項１】
下面に開口した吸込口を備えたケース体と、
前記吸込口に回転可能に配置された回転清掃体と、
この回転清掃体を回転駆動させるモータと、
前記ケース体の下側が下方の被掃除面に対して接地した状態では前記モータへ給電可能とするとともに、前記ケース体の下側が下方の被掃除面に対して離間された状態では前記モータへの給電を遮断する安全装置とを具備し、
前記安全装置は、
電源側と前記モータ側との間に接続された常開のスイッチと、
被掃除面との接触により少なくとも一部が移動することで前記スイッチを閉成させる安全装置本体と、
この安全装置本体に設けられたアーム部と、
前記安全装置本体の移動を阻止可能な球体状の錘とを備え、
前記アーム部は、
アーム部本体と、
このアーム部本体に形成され前記錘を可動的に収容する凹部と、
この凹部の両側に一体に形成された壁部とを有し、
前記錘は、前記ケース体の上下を逆にした状態で前記凹部から外部側へと移動して前記アーム部に接触することにより前記安全装置本体の移動を阻止する
ことを特徴とした吸込口体。
【請求項２】
錘は、金属球である
ことを特徴とした請求項１記載の吸込口体。
【請求項３】
錘は、周囲が弾性部材に包持されている
ことを特徴とした請求項２記載の吸込口体。
【請求項４】
電動送風機を収容した掃除機本体と、
前記電動送風機の吸込側に連通可能な請求項１ないし３いずれか一記載の吸込口体と
を具備したことを特徴とした電気掃除機。
【発明の詳細な説明】
【技術分野】
【０００１】
本発明は、ケース体の下側が下方の被掃除面に対して離間された状態ではモータへの給電を遮断する安全装置を有する吸込口体およびこれを備えた電気掃除機に関する。
【背景技術】
【０００２】
従来、この種の電気掃除機は、電動送風機を収容した掃除機本体を備えている。この掃除機本体には、電動送風機の吸込側に連通して本体集塵室が区画されており、この本体集塵室は、掃除機本体に開口形成された本体吸込口を介して外部と連通可能となっている。そして、本体吸込口には、ホース体、延長管および吸込口体としての床ブラシが順次接続され、この床ブラシを被掃除面である床面上で走行させることにより、電動送風機の駆動で発生した負圧によって床面上の塵埃を吸い込み、本体集塵室に集塵するように構成されている。
【０００３】
床ブラシは、横長のケース体の下面に、横長の吸込口が開口形成されているとともに、この吸込口に、絨毯などの床面から塵埃を掻き出すための回転清掃体である回転ブラシが回転可能に取り付けられている。また、ケース体の内部には、回転ブラシを回転駆動するためのモータが配置されている。さらに、ケース体の下部には、ケース体を上下逆にした状態ではモータが回転ブラシを回転させないようにするための安全装置が取り付けられている。
【０００４】
この安全装置は、ケース体に回動可能に軸支された軸状の安全装置本体としての安全体を有し、この安全体には、ケース体から下方に突出する回転ローラが軸支されている。また、安全体の軸方向の一端部には、アーム部が形成され、安全体の軸方向の他端部には、モータと電源側との間に電気的に配置された常開のスイッチを閉成させるための接触部が形成されている。さらに、アーム部は、球体状の錘を収容可能な凹部を備えた湾曲状に形成されている。そして、錘は、ケース体を上下正しくした状態ではアーム部の凹部に収容されているものの、ケース体を上下逆にした状態では、凹部から突出して安全体の回動前側へと移動し、アーム部の先端側と接触することで安全体の回動を阻止することにより、常開のスイッチが閉成されないように構成されている(例えば、特許文献１参照。)。
【先行技術文献】
【特許文献】
【０００５】
【特許文献１】特開平７−６７８１４号公報(第３−４頁、図１)
【発明の概要】
【発明が解決しようとする課題】
【０００６】
しかしながら、上述の床ブラシでは、アーム部が細長い湾曲形状に形成されているため、錘との接触などによって破損しないように、安全体に、ガラス繊維を含むポリカーボネート(ＰＣ)、あるいはガラス繊維を含むポリフェニレンサルファイド(ＰＰＳ)などの、強度が比較的大きい、すなわち硬い材料が用いられる。このため、アーム部と錘との接触が接触した際に、大きな金属音が騒音として発生するという問題点を有している。
【０００７】
本発明は、このような点に鑑みなされたもので、錘とアーム部との接触に伴い発生する騒音を抑制した吸込口体およびこれを備えた電気掃除機を提供することを目的とする。
【課題を解決するための手段】
【０００８】
本発明は、ケース体の下側が下方の被掃除面に対して接地した状態では回転清掃体を回転駆動させるモータへ給電可能とするとともに、ケース体の下側が下方の被掃除面に対して離間された状態ではモータへの給電を遮断する安全装置が、電源側とモータ側との間に接続された常開のスイッチと、被掃除面との接触により少なくとも一部が移動することでスイッチを閉成させる安全装置本体と、この安全装置本体に設けられたアーム部と、安全装置本体の移動を阻止可能な球体状の錘とを備え、アーム部が、アーム部本体と、このアーム部本体に形成され錘を可動的に収容する凹部と、この凹部の両側に一体に形成された壁部とを有し、錘が、ケース体の上下を逆にした状態で凹部から外部側へと移動してアーム部に接触することにより安全装置本体の移動を阻止するものである。
【発明の効果】
【０００９】
本発明によれば、アーム部の凹部の両側に壁部を一体形成することにより、アーム部の強度を構造的に確保できるので、アーム部の材質の硬さを相対的に低下させることが可能となり、錘とアーム部との接触に伴い発生する騒音を抑制できる。
【図面の簡単な説明】
【００１０】
【図１】本発明の一実施の形態の吸込口体の安全装置の動作を示し、(a1)は吸込口体を被掃除面から持ち上げた状態でのスイッチと安全装置本体との位置を示す側面図、(a2)は吸込口体を被掃除面から持ち上げた状態での安全装置本体と錘との位置を示す側面図、(b1)は吸込口体を被掃除面上に載置した状態でのスイッチと安全装置本体との位置を示す側面図、(b2)は吸込口体を被掃除面上に載置した状態での安全装置本体と錘との位置を示す側面図、(c1)は吸込口体のケース体を上下逆にした状態でのスイッチと安全装置本体との位置を示す側面図、(c2)は吸込口体のケース体を上下逆にした状態での安全装置本体と錘との位置を示す側面図である。
【図２】同上安全装置本体を示し、(a)は安全装置本体の平面図、(b)は安全装置本体の側面図である。
【図３】同上吸込口体の一部を拡大して示す平面図である。
【図４】同上吸込口体の一部を示す平面図である。
【図５】同上吸込口体を備えた電気掃除機を示す斜視図である。
【発明を実施するための形態】
【００１１】
以下、本発明の一実施の形態の構成を図１ないし図５を参照して説明する。
【００１２】
図５において、11はいわゆるキャニスタ型の電気掃除機を示し、この電気掃除機11は、管部12と、この管部12が着脱可能に接続される掃除機本体13とを有している。
【００１３】
管部12は、掃除機本体13に接続される直管状の接続管部15と、この接続管部15の先端側に連通する可撓性を有するホース体16と、このホース体16の先端側に設けられた手元操作部17と、この手元操作部17の先端側に着脱可能に接続される延長管18と、この延長管18の先端側に着脱可能に接続される吸込口体としての床ブラシ19とを備えている。
【００１４】
手元操作部17には、把持部21がホース体16側へと突出し、この把持部21には、操作用の設定ボタン22が複数設けられている。
【００１５】
また、掃除機本体13は、電動送風機27を収容する図示しない電動送風機室と、この電動送風機室に連通する図示しない本体集塵室とを内部に備え、両側に設けられた走行輪28(一方のみ図示)によって被掃除面である床面Ｆ(図１)上を走行可能となっている。さらに、本体集塵室には、管部12の基端側である接続管部15が接続可能となっている。そして、本体集塵室には、集塵袋である紙パック、あるいは集塵装置である集塵カップなどの図示しない集塵部が着脱可能に配置されている。
【００１６】
電動送風機27は、掃除機本体13内に収容された図示しない二次電池、あるいは、図示しない電源コードを介して接続された商用交流電源などから給電され、掃除機本体13内の制御手段である図示しない制御回路により、設定ボタン22で設定された所定の動作モードで動作されて管部12を介して空気とともに塵埃を吸い込むものである。
【００１７】
また、床ブラシ19は、図１ないし図４に示すように、例えば合成樹脂などにより横長に形成されたケース体31と、このケース体31の後部に回転可能に接続され延長管18に接続される接続管32とを備えている。さらに、ケース体31には、床面Ｆに対向する下面に横長の吸込口33が開口形成されているとともに、この吸込口33内に回転清掃体としての回転ブラシ34が回転可能に取り付けられている。そして、ケース体31の内部には、回転ブラシ34を回転駆動させるモータ35と、このモータ35への給電を可能にしたり、給電を遮断したりするための安全装置36とがそれぞれ収容されている。
【００１８】
ケース体31は、上側が開口した下ケース41と、この下ケース41の上側を覆う上ケース42と、これらケース41，42間に挟持される緩衝部材であるバンパ43とを備えている。
【００１９】
吸込口33は、下ケース41の下面41aに開口形成されており、接続管32に連通している。
【００２０】
回転ブラシ34は、長尺状の回転軸45の周囲に、ブレードあるいは毛ブラシなどの長尺状の複数の清掃部材46が、回転軸45の軸方向に沿って螺旋状に取り付けられている。そして、回転軸45は、両端部が軸受47，47を介して下ケース41の吸込口33の両端に回転可能に軸支されている。また、一方の軸受47には、伝達手段であるベルト48を介してモータ35の回転力が伝達されるように構成されている。
【００２１】
モータ35は、ケース体31内において、吸込口33の後方の一側に収容されている。また、このモータ35は、図示しない配線により、接続管32、延長管18(図５)、ホース体16(図５)および接続管部15(図５)を介して、掃除機本体13(図５)側と電気的に接続され、この掃除機本体13(図５)側の図示しない電源から給電されている。さらに、このモータ35は、設定ボタン22(図５)の操作によって駆動のオンオフを切り換え可能となっている。
【００２２】
安全装置36は、図３および図４に示すように、ケース体31内において、吸込口33の後方の他側に収容されている。また、この安全装置36は、モータ35の回転駆動を制御する制御部51と、ケース体31に移動可能、例えば回動可能に軸支された軸状の安全装置本体としての安全体52と、ケース体31の上下方向の状態を検出するための検出手段である球体状の錘53とを備えている。
【００２３】
制御部51は、モータ35の回転駆動を制御するモータ制御回路を実装した基板部55と、この基板部55のモータ制御回路に電気的に接続された常開のスイッチ56とを有している。
【００２４】
基板部55は、安全体52の上方に配置されている。
【００２５】
スイッチ56は、掃除機本体13側の電源とモータ35との間に位置し、電源からモータ35への給電を可能としたり、この給電を遮断したりすることが可能となっている。また、このスイッチ56は、例えば、絨毯などの床面を掃除する場合と畳などの床面を掃除する場合などの掃除条件を選択するための図示しない条件選択スイッチと電気的に接続されており、この条件選択スイッチにより絨毯などの回転ブラシ34の回転駆動を要する床面の掃除の場合を選択している場合にのみ、モータ35への給電が可能となるように構成されている。そして、このスイッチ56は、図１に示すように、箱状のスイッチ本体56aと、このスイッチ本体56aに一端部が回動可能に軸支された接点操作部である接点アーム56bとを有しており、この接点アーム56bの先端側がスイッチ本体56a側へと所定角度以上回動することによりスイッチ56が閉成されるように構成されている。なお、接点アーム56bは、先端側がスイッチ本体56aから離間される方向へと付勢されている。
【００２６】
安全体52は、図１、図２(a)および図２(b)に示すように、軸方向の一端側に、スイッチ56を閉成させるためのスイッチ切換部である接触部61が形成され、軸方向の中間位置に、床面Ｆに接触可能な接触体である回転ローラ62を軸支する軸支部63，63が軸方向に交差するように径方向に前方へと突出して一体形成され、かつ、軸方向の他端側に、アーム部64が径方向に突出して一体形成されている。また、この安全体52は、下ケース41と、この下ケース41の上部に取り付けられたカバー体65との間で上下方向から挟持されて回動可能に軸支されている。さらに、この安全体52の軸方向の一端部には、この安全体52を回動方向に付勢するための付勢手段としてのトーションばね66が取り付けられている。そして、この安全体52は、例えばポリアセタール(ＰＯＭ)などの比較的柔らかい合成樹脂により成形されている。
【００２７】
接触部61は、安全体52の上側に位置しており、安全体52をケース体31に取り付けた状態でスイッチ56の接点アーム56bの先端側の下方に対向している。そして、この接触部61は、回転ローラ62の床面Ｆへの接触により安全体52が回動することで、接点アーム56bの先端側をスイッチ本体56a側へと押し込んでスイッチ56を閉成させるように構成されている。
【００２８】
回転ローラ62は、安全体52をケース体31に取り付けた状態で、下ケース41の下面41aに開口形成された安全装置用開口部68(図４)からケース体31の下方に突出している。そして、この回転ローラ62は、外周面に起毛布62aが設けられており、トーションばね66によってこの回転ローラ62がケース体31の下方に突出するように付勢されていることで、床ブラシ19を床面Ｆ上に載置した状態で、床面Ｆに常時接触するように構成されている。
【００２９】
軸支部63，63は、回転ローラ62の回転軸62bが回転自在に挿通される軸支孔63aをそれぞれ有している。
【００３０】
アーム部64は、細長い腕状に延びるアーム部本体64aと、このアーム部本体64aの両側に一体形成された壁部64b，64bとを有している。
【００３１】
アーム部本体64aは、安全体52に対して、後方下側へと延出し、さらに先端側が上方前側へと折り返すように湾曲状に形成されている。このため、アーム部本体64aには、錘53を収容可能な凹部64cが前側に形成されている。なお、図１(a1)ないし図１(b2)において、右側が床ブラシ19(図４)の前側であり、左側が床ブラシ19(図４)の後側である。
【００３２】
凹部64cは、両側が壁部64b，64bによって区画され、安全体52の上方前側に開口64dを有している。すなわち、この凹部64cは、最深部が安全体52の後方下側となるように形成されている。また、この凹部64cは、安全体52が最大に回動した状態でも開口64dが下方に向かない状態となるように形成されており、床ブラシ19(図４)の上下を正しくした状態では、安全体52の回動に拘らず、錘53が凹部64cから前方へと飛び出さないように構成されている。
【００３３】
各壁部64bは、例えばアーム部本体64aの基端と先端とを連結するように形成されている。また、壁部64b，64bの間隔は、錘53の直径よりも若干大きく設定されており、凹部64c内での錘53の左右両側方向への移動を規制している。換言すれば、凹部64cは、錘53の左右方向への逃げを防止している。さらに、各壁部64bには、孔部64eがそれぞれ切り欠き形成されている。
【００３４】
各孔部64eは、例えば安全体52の成形時の抜き方向に沿って形成されており、安全体52の軽量化を図っている。また、これら孔部64eは、錘53がこれら孔部64eを通って凹部64cから外へと移動しないようにその大きさが設定されている。なお、これら孔部64eの形状は、任意に設定でき、切り欠き形状だけでなく、壁部64bを穿設した孔状に形成してもよい。さらには、これら孔部64eは、必須の構成ではない。
【００３５】
図３に示すように、カバー体65は、安全装置用開口部68(図４)を覆うカバー部65aと、このカバー部65aの側部に一体形成された規制部であるガイド部65bとを有している。そして、このカバー体65は、下ケース41と上ケース42(図５)とにより上下から挟持固定されている。
【００３６】
カバー部65aの上部には、制御部51の基板部55を支持するための支持突部65cが、複数形成されている。
【００３７】
ガイド部65bは、アーム部64が内部に位置するアーム部収容部69を区画するための区画用のリブ部であり、平面視で前方に開口した略Ｕ字状に形成されている。また、このガイド部65bの幅寸法は、アーム部64の幅寸法よりも大きく形成されている。
【００３８】
トーションばね66は、安全体52を、回転ローラ62が安全装置用開口部68(図４)から突出する方向、すなわち接触部61がスイッチ56の接点アーム56bから離間される方向、換言すれば接点アーム56bがスイッチ本体56aから離間される方向へと付勢するものである。
【００３９】
そして、図１に示すように、錘53は、例えば鉄などの比重が大きい金属により球状に形成された図示しない芯部を中子として、この芯部の外周に、シリコーンゴムなどの弾性部材が、例えば１．０ｍｍ〜１．５ｍｍ程度の所定の厚みに射出成形されることにより、芯部の外周面の略全体が弾性部材により包持された球体状に錘53が形成されている。したがって、この錘53は、ケース体31の上下を正しくした図１(a1)ないし図１(b2)に示す状態、すなわち吸込口33(図４)を床面Ｆ側に対向させる状態で、凹部64cの開口64dからこの凹部64cの外部へと容易に飛び出さないように、所定の重量を有している。また、錘53は、図３および図４に示すように、アーム部64の前方に位置する突出防止壁部Ｗにより、振動などで前方へと飛び出さないように構成されている。
【００４０】
次に、上記一実施の形態の動作を説明する。
【００４１】
掃除の際には、図５に示す掃除機本体13の本体集塵室に集塵部を取り付け、電源コードをコンセントに接続するなど、電動送風機27への給電を可能とした状態で、作業者が設定ボタン22を操作することで、掃除機本体13内の制御回路が電動送風機27を駆動させる。
【００４２】
作業者は、床面Ｆ(図１)上に床ブラシ19を載置し、把持部21を把持して床ブラシ19を前後に走行させることにより、電動送風機27の負圧の作用によって吸込口33(図４)から空気とともに塵埃を吸い込む。この吸い込んだ空気は吸込風となり、塵埃とともに接続管32、延長管18、ホース体16および接続管部15を介して掃除機本体13の本体集塵室へと吸い込まれ、この本体集塵室内の集塵部によって塵埃が捕集される。そして、この塵埃が捕集された吸込風は、電動送風機室内の電動送風機27の吸込側へと吸い込まれ、この電動送風機27内を冷却しつつ通過して排気風となり、掃除機本体13の排気孔からこの掃除機本体13の外部へと排気される。
【００４３】
また、作業者は、例えば絨毯などの床面Ｆを掃除する際には、設定ボタン22を操作して回転ブラシ34を適宜回転駆動させる。
【００４４】
ここで、図１(a1)に示すように、床ブラシ19(図４)を床面Ｆから離間した(浮かせた)状態では、トーションばね66(図２)の付勢により、安全体52が、回転ローラ62がケース体31の下方に突出するように回動した状態となっている。このとき、安全体52の接触部61がスイッチ56の接点アーム56bから離間されており、接点アーム56bがスイッチ本体56aから離間されて、スイッチ56が開成されている。このため、回転ブラシ34(図４)は、設定ボタン22(図５)を操作しても回転しない。また、図１(a2)に示すように、錘53は、アーム部64の凹部64c内の最深部に収容された状態となっている。
【００４５】
次いで、図１(b1)に示すように、床ブラシ19(図４)を床面Ｆ上に載置すると、回転ローラ62が床面Ｆに接触し、床ブラシ19(図４)の重量によって、安全体52がトーションばね66(図２)の付勢に抗して後方へと回動することにより、回転ローラ62が安全装置用開口部68(図４)内に入り込む。また、接触部61がスイッチ56の接点アーム56bの先端側をスイッチ本体56a側へと押し込んで回動させることにより、スイッチ56が閉成される。この結果、電源からモータ35へと給電可能となる。そして、条件選択スイッチにより絨毯などの回転ブラシ34(図４)の回転駆動を要する床面の掃除の場合を選択している状態では、作業者が設定ボタン22(図５)を操作すると、制御部51(図３)のモータ制御回路がモータ35を回転駆動させ、このモータ35の回転駆動をベルト48(図４)が軸受47へと伝達することにより、回転ブラシ34(図４)が回転する。また、このとき、図１(b2)に示すように、アーム部64は、錘53が凹部64cの最深部に保持された状態のまま、安全体52と一体に回動する。
【００４６】
この結果、図４に示す回転ブラシ34の回転によって、床面Ｆ(図１)に入り込んだ塵埃が清掃部材46により掻き出され、吸込口33から順次吸い込まれる。なお、回転ブラシ34の回転方向は、任意に設定できる。
【００４７】
また、図１(c2)に示すように、床ブラシ19(図４)のケース体31を上下逆とした状態、すなわち、下ケース41の下面41aが上側になるように床ブラシ19(図４)を上下反転させた(裏返した)状態では、アーム部64の凹部64cの開口64dが下方に向くため、凹部64cに収容された錘53が、この開口64dから凹部64cの外部へと飛び出し、アーム部64のアーム部本体64aの先端側に対向する位置で、保持部としてのボス70の上端部に保持されて規制壁部71により錘53の動作が規制される。このため、アーム部本体64aの先端部が錘53に当接することにより安全体52の回動が阻止されるため、作業者が図１(c1)に示す回転ローラ62を押し込むことができなくなり、したがって、スイッチ56(図１(c1))が閉成されることがなく、モータ35(図４)すなわち回転ブラシ34(図４)の回転が阻止される。この結果、床ブラシ19(図４)を上下反転させた状態で回転ブラシ34(図４)を誤って回転させることを防止できる。
【００４８】
掃除が終了すると、作業者は設定ボタン22(図５)を適宜操作して回転ブラシ34の回転、および、電動送風機27(図５)の駆動をそれぞれ停止させる。
【００４９】
上述したように、上記一実施の形態によれば、安全体52のアーム部64の凹部64cの両側に壁部64bを一体形成することにより、安全体52のアーム部64での強度を構造的に確保できるので、アーム部64(安全体52)の材質を、従来のようにガラス繊維を含む合成樹脂などの硬質なものではなく、相対的に硬さ(強度)を低下させたものとすることが可能となる。この結果、例えばケース体31を上下逆にした状態での凹部64cから突出した錘53とアーム部64のアーム部本体64aの先端部との接触、ケース体31(床ブラシ19(図４))を床面Ｆから持ち上げた状態、あるいはケース体31(床ブラシ19(図４))を床面Ｆに載置した状態などでの錘53とアーム部64および壁部64bなどとの接触に伴い発生する騒音を抑制できる。
【００５０】
すなわち、錘53は、ケース体31を上下正しくした状態で凹部64cから上方へと飛び出して安全体52の回動を阻止すると、通常の使用状態であるにも拘らず回転ブラシ34(図４)が回転しない状態になるおそれがあるため、比重が大きい金属などを用いる必要がある。また、アーム部64は、凹部64cを形成するため、湾曲状で、かつ、細く形成される一方で、ケース体31を上下反転させた状態で回転ブラシ34(図４)の回転を阻止するためには、上記比重が大きい錘53と接触させる必要があるので、錘53との接触によって破損しないように、強度が必要となり、従来の構成では、強度が相対的に大きい材料を用いる必要がある。このため、従来の構成では、硬質のアーム部64と、比重が大きい錘53との衝突により、金属的な衝突音が発生していた。そこで、本実施の形態では、アーム部64を壁部64bによって箱状として構造的に強化することにより、アーム部64を構成する材料として比較的硬さが小さいものを用いることができ、かつ、アーム部64をより小さく形成できるので、錘53も小さくすることができ、したがって、アーム部64と錘53との接触の際の騒音を小さくできる。
【００５１】
また、従来の構成では、錘53は、アーム部64の両側方への移動が、アーム部64を収容するアーム部収容部69を区画するカバー体65のガイド部65bによって規制されていたのに対して、本実施の形態では、アーム部64自体の壁部64b，64bによって規制している。ガイド部65bの幅寸法は、安全体52の回動によりアーム部64と接触しないように、このアーム部64の両側部に対して所定のクリアランスが必要になるので、従来の構成では、錘53の左右方向への可動幅がガイド部65bの幅寸法となっていたのに対して、本実施の形態では、錘53の左右方向への可動幅が壁部64b，64b間の寸法となるので、錘53の左右方向への可動幅をより小さくできる。したがって、錘53とアーム部64との接触時の衝撃を抑制でき、この接触に伴い発生する騒音を、より抑制できる。
【００５２】
しかも、壁部64b，64bをアーム部64に形成することにより、錘53と接触した際のアーム部64自体の振動も抑制され、騒音をより低減できる。
【００５３】
さらに、錘53として、金属製の球体を用いることにより、大きさを小さくしても充分な比重を容易に得ることができる。
【００５４】
そして、錘53の周囲を弾性部材で包持することにより、錘53と安全体52のアーム部64との接触の際に生じる騒音を、より抑制できる。
【００５５】
なお、上記一実施の形態において、安全体52は、回動するものに限定されず、床面Ｆと一部が接触することで少なくとも一部が移動してスイッチ56を閉成可能な構成であれば、任意の構成とすることができる。
【００５６】
また、錘53としては、充分な比重を得ることができれば、金属を用いなくてもよい。
【符号の説明】
【００５７】
11    電気掃除機
13    掃除機本体
19    吸込口体としての床ブラシ
27    電動送風機
31    ケース体
33    吸込口
34    回転清掃体としての回転ブラシ
35    モータ
36    安全装置
52    安全装置本体としての安全体
53    錘
56    スイッチ
64    アーム部
64a   アーム部本体
64b   壁部
64c   凹部
Ｆ    被掃除面である床面
【図１】
2010200803.tif 000003
【図２】
2010200803.tif 000004
【図３】
2010200803.tif 000005
【図４】
2010200803.tif 000006
【図５】
2010200803.tif 000007